(57)【特許請求の範囲】
【請求項１】
患者側コネクタの元部と透析液用バック側コネクタの封止栓とを保持するコネクタ保持部と、患者側コネクタの封止栓と透析液側コネクタの元部とを保持し回転させるための脱着部と、上記コネクタ保持部と上記脱着部とを連動させて駆動するための機構部とより成り、該機構部に設けたハンドルの第１の回転によって上記患者側コネクタの封止栓と透析液側コネクタの元部とを脱着部で回転せしめて夫々上記患者側コネクタの元部と患者側コネクタの封止栓とを分離し、かつ上記透析液側コネクタの封止栓と透析液側コネクタの元部とを分離し、第２の回転によってコネクタ保持部を移動し、患者側コネクタの元部と透析液側コネクタの元部とを対向せしめ、第３の回転によって上記患者側コネクタの元部と透析液側コネクタの元部を螺合締結せしめる医療用コネクタの手動式脱着装置において、上記脱着部が上記機構部から脱着可能であり、上記脱着部がこれを上記機構部より取り外した時に、上記脱着部におけるホルダに設けられた歯車を所定の位置に戻す復帰機構を有し、かつ、上記ハンドルがその回動軸に回転停止用のストッパーピンを有し、上記機構部がハンドル回転停止位置を決めるストッパーブロックを有し、該ストッパーブロックにより前記ストッパーピンが保持されることを特徴とする医療用コネクタの手動式脱着装置。
【請求項２】
患者側コネクタの元部と透析液用バッグ側コネクタの封止栓とを保持するコネクタ保持部と、患者側コネクタの封止栓と透析液側コネクタの元部とを保持し回転させるための脱着部と、上記コネクタ保持部と上記脱着部とを連動させて駆動するための機構部とより成り、該機構部に設けたハンドルの第１の回転によって上記患者側コネクタの封止栓と透析液側コネクタの元部とを脱着部で回転せしめて夫々上記透析液側コネクタの元部と患者側コネクタの元部とを分離し、かつ、上記透析液側コネクタの封止栓と患者側コネクタの封止栓とを分離し、第２の回転によってコネクタ保持部を移動し、患者側コネクタの元部と患者側コネクタの封止栓とを対向せしめ、第３の回転によって上記患者側コネクタの元部と患者側コネクタの封止栓を螺合締結する医療用コネクタの手動式脱着装置において、上記脱着部が上記機構部から脱着可能であり、上記脱着部がこれを上記機構部より取り外した時に、上記脱着部におけるホルダに設けられた歯車を所定の位置に戻す復帰機構を有し、かつ、上記ハンドルがその回動軸に回転停止用のストッパーピンを有し、上記機構部がハンドル回転停止位置を決めるストッパーブロックを有し、該ストッパーブロックにより前記ストッパーピンが保持されることを特徴とする医療用コネクタの手動式脱着装置。
【請求項３】
ハンドルを介して回動される操作軸と、この操作軸の回転によって歯車を介して夫々互に反対方向に回動される夫々その一部の歯を欠いた２個の歯欠歯車と、この歯欠歯車の第１の回転によって歯車を介して夫々同一方向に回動され、上記歯欠歯車の第２の回転によっては回動されず、第３の回転によって上記と反対の方向に回動される患者側コネクタの封止栓及び透析液側コネクタの元部と、上記操作軸によってＵ字状カムの周りに移動されるピンを介して左右，前後に移動されるスライダと、該スライダに結合したコネクタ保持部によって保持される、患者側コネクタの元部と透析液側コネクタの封止栓と、患者側コネクタの元部と透析液用バック側コネクタの封止栓とを保持するコネクタ保持部と、患者側コネクタの封止栓と透析液側コネクタの元部とを保持し回転させるための脱着部と、上記コネクタ保持部と上記脱着部とを連動させて駆動するための機構部とより成り、上記歯欠歯車の第１の回転の間に上記患者側コネクタの元部と上記患者側コネクタの封止栓とを、又上記透析液側コネクタの封止栓と透析液側コネクタの元部とを夫々相対的に離間せしめ、上記第２の回転の間に上記患者側コネクタの元部を上記透析液側コネクタの元部に対向する位置に移動せしめ、上記第３の回転の間に上記患者側コネクタの元部に上記透析液側コネクタの元部を締結せしめる医療用コネクタの手動式脱着装置において、上記脱着部が上記機構部から脱着可能であり、上記脱着部がこれを上記機構部より取り外した時に、上記脱着部におけるホルダに設けられた歯車を所定の位置に戻す復帰機構を有し、かつ、上記ハンドルがその回動軸に回転停止用のストッパーピンを有し、上記機構部がハンドル回転停止位置を決めるストッパーブロックを有し、該ストッパーブロックにより前記ストッパーピンが保持されることを特徴とする医療用コネクタの手動式脱着装置。
【請求項４】
ハンドルを介して回動される操作軸と、この操作軸の回転によって歯車を介して夫々互に反対方向に回動される夫々その一部の歯を欠いた２個の歯欠歯車と、この歯欠歯車の第１の回転によって歯車を介して夫々同一方向に回動され、上記歯欠歯車の第２の回転によっては回動されず、第３の回転によって上記と反対の方向に回動される患者側コネクタの封止栓及び透析液側コネクタの元部と、上記操作軸によってＵ字状カムの周りに移動されるピンを介して左右、前後に移動されるスライダーと、該スライダーに結合したコネクタ保持部によって保持される、患者側コネクタの元部と透析液側コネクタの封止栓と、患者側コネクタの元部と透析液用バック側コネクタの封止栓とを保持するコネクタ保持部と、患者側コネクタの封止栓と透析液側コネクタの元部とを保持し回転させるための脱着部と、上記コネクタ保持部と上記脱着部とを連動させて駆動するための機構部とより成り、上記歯欠歯車の第１の回転の間に上記患者側コネクタの元部と透析液側コネクタの元部とを、又上記患者側コネクタの封止栓と、上記透析液側コネクタの封止栓とを夫々相対的に離間せしめ、上記第２の回転の間に上記患者側コネクタの元部を患者側コネクタの封止栓と対向する位置移動せしめ、上記第３の回転の間に上記患者側コネクタの元部に上記患者側コネクタの封止栓を締結せしめる医療用コネクタの手動式脱着装置において、上記脱着部が上記機構部から脱着可能であり、上記脱着部がこれを上記機構部より取り外した時に、上記脱着部におけるホルダに設けられた歯車を所定の位置に戻す復帰機構を有し、かつ、上記ハンドルがその回動軸に回転停止用のストッパーピンを有し、上記機構部がハンドル回転停止位置を決めるストッパーブロックを有し、該ストッパーブロックにより前記ストッパーピンが保持されることを特徴とする医療用コネクタの手動式脱着装置。
【請求項５】
上記復帰機構が、上記脱着部におけるホルダに設けた歯車の端面に突設したピンと、このピンに係合するよう上記歯車の軸受け板に形成した上記歯車と同心の略半円弧状の溝と、上記脱着部における上記歯車を駆動するための歯車の軸とその軸受板間に巻回されたツルマキ型の戻しバネとより成ることを特徴とする請求項１記載の医療用コネクタの手動式脱着装置。
【発明の詳細な説明】
【０００１】
【発明の属する技術分野】
本発明は医療用コネクタの分離及び接続を行う装置に係り、特に、医学的用途、例えば腹膜透析用チューブコネクタの分離、接続に応用される医療用コネクタの手動式脱着装置に関する。
【０００２】
【従来の技術】
最近の従来の技術に関しては、同一出願人が特願平１１−２１５２０８号として出願した先願がある。
【０００３】
図４〜図７はこのような従来装置を示し、図４Ａは医療用コネクタの手動式脱着装置１０の正面図、図４Ｂは側面図であり、１は筐体、２は蓋、３は操作用ハンドル、４はゴム足、５は吸盤である。筐体１は、ゴム足４と吸盤５により机上に位置決めされ、操作用ハンドル３の操作により操作される。
【０００４】
また、患者側コネクタの元部１０２と透析液用バッグ側コネクタの封止栓２０３とを保持するコネクタ保持部２０と、患者側コネクタの封止栓１０３と透析液側コネクタの元部２０２とを保持し回転させるための脱着部１６と、上記コネクタ保持部２０と上記脱着部１６とを連動させて駆動するための機構部１７とを有し、図８に示すように該機構部１７に設けたハンドル３を回転せしめることにより第１の回転にて上記患者側コネクタの封止栓１０３と透析液側コネクタの元部２０２とを脱着部１６で回転せしめて夫々上記患者側コネクタの元部１０２と透析液側コネクタの封止栓２０３とを分離し、かつ上記透析液側コネクタの封止栓２０３と透析液側コネクタの元部２０２とを分離し、第２の回転にてコネクタ保持部２０を移動し、患者側コネクタの元部１０２と透析液側コネクタの元部２０２とを対向せしめ、さらに第３の回転にて上記患者側コネクタの元部１０２と透析液側コネクタの元部２０２とを螺合締結するように構成してある。
【０００５】
図５は筐体１の蓋２を開いた状態、図６は、脱着部１６と機構部１７の駆動歯車との関係を示すための縦断正面図で、筐体１の基板１−１に操作軸２１を軸支する２個の軸受（図示していない）が適宜に距離離間して設けられ、該操作軸２１の筐体から外部に突出した位置に操作用ハンドル３が固着されている。また、図７の横断平面図に示すように上記操作軸２１には２個の傘歯車２２−１と２２−２が適宜距離離間して双方の傘歯車面を対向させて固着され、上記傘歯車２２−１と噛合する傘歯車２３−１と一部の歯を除いた欠歯歯車２４とを一体にした歯車組と、上記傘歯車２２−２と噛合する傘歯車２３−２と一部の歯を除いた欠歯歯車２５とを一体とした歯車組とを夫々互いに並行に所定距離離間して設けた２個の支軸４０，４１によって回転自在に軸支し、該支軸４０，４１の上記筐体の側面に近接して、上記基板より起立した軸受板によって支持せしめ、上記操作ハンドルの回転で上記欠歯歯車２４，２５を介して、脱着部１６上のホルダを回転せしめるようになっている。
【０００６】
また、脱着部１６には、機構部１７の欠歯歯車２４，２５と噛合する歯車３８と、該歯車３８と夫々噛合する歯車３６と３７と、脱着部１６上のホルダに結合された歯車３４と３５が設けられている。
【０００７】
図９Ａ〜図９Ｄは各歯車と、駆動腕２６の駆動ピン２９と、Ｕ字型カム６１の関係位置を示す。
【０００８】
図９Ａの位置はハンドル１３が原点位置にある時の噛み合い状況を示し、各ホルダと一体の歯車３４，３５に設けられたチューブを挿通させるための溝１６−３は真上に向いている。また、欠歯歯車２５は歯を切り欠いた部分が歯車３８と対向し、欠歯歯車２４は歯を有する部分が歯車３８と対向している。また、駆動腕２６の駆動ピン２９の位置は、時計の３時の位置であるＡ点にある。ここでハンドル３を原点位置より約６０度回転させると、欠歯歯車２４が歯車３８を介して歯車３６と噛み合い、夫々矢印方向に回転して歯車３４，３５を反時計方向に回転させるように働き、図９Ｂの位置となり、駆動腕２６の駆動ピン２９の位置は１８０度回転して時計の９時の位置であるＢ点となる。
【０００９】
この動作の過程で歯車３４に設けられたホルダにチューブを挿通するための溝１６−３が歯車３６と対向する位置に来ると歯車３４が歯車３６と噛み合わなくなるので回転できないことになるが、その時は歯車３７が歯車３４と噛み合って歯車３８の回転を歯車３４に伝達させるように働く。
【００１０】
図９Ｂの位置では、欠歯歯車２５は歯を切り欠いた部分が歯車３８と対向し、欠歯歯車２４も歯を切り欠いた部分が歯車３８と対向する位置となるので、歯車３８はハンドル３の動作で回転しなくなる。
【００１１】
更に、ハンドル３を６０度回転させると、図９Ｃに示すように駆動腕２６の駆動ピン２９はＡ位置となり、欠歯歯車２５の歯が有る部分が歯車３８と対向する位置となり、欠歯歯車２４の歯の無い部分が歯車３８と対向する位置となり、欠歯歯車２５の回転が歯車３８に伝えられるようになる。ハンドル３の回転方向は同じであるが欠歯歯車２５の回転方向は傘歯車２２−２と２３−２から伝達されるので、欠歯歯車２４と逆の方向となり歯車３８の回転が逆となり、ホルダと一体の歯車３４，３５は図９Ａの場合と逆の方向即ち、時計方向に回転し、ハンドル３を更に６０度回転させると図９Ｄの位置となり、この位置は図９Ａと比べ駆動腕２６の駆動ピン２９の位置が更に１８０度回転して時計の９時の位置であるＢ点の位置となる。
【００１２】
上記の説明は、ホルダにコネクタのネジ部を装着して、上記のようにハンドル３を操作すると、最初の６０度回転でネジ部がゆるみ、次の６０度回転ではネジ部は回転せず、最後の６０度回転でネジ部が締めつけられるようになることを示す。
【００１３】
図１０Ａ及び図１０Ｂは、本発明装置を使用して、腹膜透析装置において患者１０４側と透析液バッグ２００のコネクタの脱着操作をする状況を説明する説明図である。
【００１４】
図１０Ａは、準備状態を示し、患者１０４に接続した患者側チューブ１０１と患者側コネクタの元部１０２とが一体に結合されており、患者側コネクタの元部１０２の開放端が封止栓１０３によって封止されており、透析液バッグ２００にチューブ２０１が接続され、該チューブ２０１に透析液側コネクタの元部２０２とが一体に結合されており、透析液側コネクタの元部２０２の開放端は封止栓２０３により封止されている。
【００１５】
コネクタ保持部２０の下側溝に患者側コネクタの元部１０２を装着し、封止栓１０３を脱着部１６の下側ホルダに装着し、脱着部１６の上側ホルダに透析液側コネクタの元部２０２を装着し、コネクタ保持部２０の上側溝に透析液側コネクタの封止栓２０３を装置する。
【００１６】
図９Ａ〜図９Ｄに示すようにハンドル３を原点位置から約６０度回転せしめると、脱着部１６のホルダが回転してコネクタのネジ部のネジがゆるむ方向に回転し両方のコネクタの封止栓を開放する。更に、ハンドル３を６０度回転せしめると脱着部１６のホルダは、回転しないでコネクタ保持部２０がＵ字形に上方向に移動してコネクタ保持部２０の溝に保持された患者側コネクタの元部１０２が図１０Ｂに示すように脱着部１６のホルダに保持された透析液側コネクタ２０２と対向する位置となる。更にハンドル３を６０度回転させると脱着部１６のホルダに保持された透析液側コネクタの元部２０２を回転せしめて患者側コネクタの元部１０２に固着する。
【００１７】
次にコネクタ保持部２０の溝と脱着部１６のホルダから患者側コネクタの元部１０２と透析側コネクタの元部２０２が連結されたセットと、患者側コネクタの封止栓１０３と、透析液側コネクタの封止栓２０３とを取り除き、患者側コネクタと透析液側コネクタの接続を完了する。
【００１８】
ハンドル３を原点位置に戻すときはハンドル３の動作方向が逆となるので、図９Ｄから図９Ａの順をたどるようになり、最初図９Ｄの位置では駆動腕２６の駆動ピン２９の位置がＢ点にあり、ハンドル３を６０度回転せしめると駆動腕２６が反時計方向に１８０度回転して図９Ｃの駆動腕２６の駆動ピン２９の位置Ａ点となり、更にハンドル３を６０度回転せしめると駆動ピン２９がスライダー３１に設けられた腕３０の２股状突起と係合しスライダー３１がＵ字形を描いて移動し駆動ピン２９の位置がＢ点となり、次の６０度回転で駆動ピン２９が１８０度回転してＡ点位置の原点に戻る。
【００１９】
患者側のコネクタの元部１０２と、透析液側コネクタの元部２０２を分離する場合は、図１１Ａに示すように患者側コネクタの元部１０２と、透析液側コネクタの元部２０２とが結合された状態で、夫々コネクタ保持部２０の下側溝と、脱着部１６の下側ホルダに装着し、コネクタ保持部２０の上側溝と脱着部１６の上側ホルダに、新しい滅菌された患者側コネクタの封止栓１０３と、透析液側コネクタの封止栓２０３とのセットを装着し、ハンドル３を約６０度回転せしめれば患者側コネクタの元部１０２と透析液側コネクタの元部２０２とのネジ結合がゆるみ、又新しい滅菌された患者側コネクタの封止栓１０３と透析液側コネクタの封止栓２０３のセットのネジ結合がゆるみ、更に６０度回転せしめれば、図１１Ｂに示すように患者側コネクタの元部１０２が上側に移動して封止栓１０３と対向する位置となる。更に６０度回転せしめれば患者側コネクタの元部１０２に封止栓１０３が螺合されて患者側コネクタの分離が完了する。透析液側コネクタの元部２０２と封止栓２０３を取り除き、ハンドル３を原点位置に戻し操作を完了する。
【００２０】
なお、この装置１０は、患者側のコネクタと透析液側コネクタの脱着を行なう装置であるので、上記コネクタを装着するコネクタ保持部２０と脱着部１６は常に清潔を保つ必要があり、上記の部分を本体機構部より取り外して洗浄することが常時実施される。然しながら脱着部１６を本体機構部より取り外すと歯車２４，２５と脱着部１６の歯車３８の噛み合いが外れ、脱着部の歯車３４，３５が勝手に移動して、再度脱着部１６を機構部に組みつけるときに歯車３４，３５の関係位置が定まらず正確な組み付けができないという問題が生じる。従ってこの装置には、脱着部１６を機構部より取り外したときに歯車３４，３５が勝手に回転しないようにするロック機構が設けられている。
【００２１】
【発明が解決しようとする課題】
然しながら、上記先願のロック機構においては、本体部より取り外した状態で、ロック機構部を誤って強く触ったり、回転部を強く回してしまった場合、機構部との伝達部の位相がずれてしまい、正常動作ができなくなってしまうという問題が発生し、この状態を復旧させるためには、脱着部を専任者により分解、再調整することが必要であるという問題がある。
【００２２】
本発明はこのような問題を解決するようにしたものである。
【００２３】
【課題を解決するための手段】
本発明の医療用コネクタの手動式脱着装置は、患者側コネクタの元部と透析液用バック側コネクタの封止栓とを保持するコネクタ保持部と、患者側コネクタの封止栓と透析液側コネクタの元部とを保持し回転させるための脱着部と、上記コネクタ保持部と上記脱着部とを連動させて駆動するための機構部とより成り、該機構部に設けたハンドルの第１の回転によって上記患者側コネクタの封止栓と透析液側コネクタの元部とを脱着部で回転せしめて夫々上記患者側コネクタの元部と患者側コネクタの封止栓とを分離し、かつ上記透析液側コネクタの封止栓と透析液側コネクタの元部とを分離し、第２の回転によってコネクタ保持部を移動し、患者側コネクタの元部と透析液側コネクタの元部とを対向せしめ、第３の回転によって上記患者側コネクタの元部と透析液側コネクタの元部を螺合締結せしめる医療用コネクタの手動式脱着装置において、上記脱着部が上記機構部から脱着可能であり、上記脱着部がこれを上記機構部より取り外した時に、上記脱着部におけるホルダに設けられた歯車を所定の位置に戻す復帰機構を有し、かつ、上記ハンドルがその回動軸に回転停止用のストッパーピンを有し、上記機構部がハンドル回転停止位置を決めるストッパーブロックを有し、該ストッパーブロックにより前記ストッパーピンが保持されることを特徴とする。
【００２４】
本発明の医療用コネクタの手動式脱着装置は、患者側コネクタの元部と透析液用バッグ側コネクタの封止栓とを保持するコネクタ保持部と、患者側コネクタの封止栓と透析液側コネクタの元部とを保持し回転させるための脱着部と、上記コネクタ保持部と上記脱着部とを連動させて駆動するための機構部とより成り、該機構部に設けたハンドルの第１の回転によって上記患者側コネクタの封止栓と透析液側コネクタの元部とを脱着部で回転せしめて夫々上記透析液側コネクタの元部と患者側コネクタの元部とを分離し、かつ、上記透析液側コネクタの封止栓と患者側コネクタの封止栓とを分離し、第２の回転によってコネクタ保持部を移動し、患者側コネクタの元部と患者側コネクタの封止栓とを対向せしめ、第３の回転によって上記患者側コネクタの元部と患者側コネクタの封止栓を螺合締結する医療用コネクタの手動式脱着装置において、上記脱着部が上記機構部から脱着可能であり、上記脱着部がこれを上記機構部より取り外した時に、上記脱着部におけるホルダに設けられた歯車を所定の位置に戻す復帰機構を有し、かつ、上記ハンドルがその回動軸に回転停止用のストッパーピンを有し、上記機構部がハンドル回転停止位置を決めるストッパーブロックを有し、該ストッパーブロックにより前記ストッパーピンが保持されることを特徴とする。
【００２５】
本発明の医療用コネクタの手動式脱着装置は、ハンドルを介して回動される操作軸と、この操作軸の回転によって歯車を介して夫々互に反対方向に回動される夫々その一部の歯を欠いた２個の歯欠歯車と、この歯欠歯車の第１の回転によって歯車を介して夫々同一方向に回動され、上記歯欠歯車の第２の回転によっては回動されず、第３の回転によって上記と反対の方向に回動される患者側コネクタの封止栓及び透析液側コネクタの元部と、上記操作軸によってＵ字状カムの周りに移動されるピンを介して左右，前後に移動されるスライダと、該スライダに結合したコネクタ保持部によって保持される、患者側コネクタの元部と透析液側コネクタの封止栓と、患者側コネクタの元部と透析液用バック側コネクタの封止栓とを保持するコネクタ保持部と、患者側コネクタの封止栓と透析液側コネクタの元部とを保持し回転させるための脱着部と、上記コネクタ保持部と上記脱着部とを連動させて駆動するための機構部とより成り、上記歯欠歯車の第１の回転の間に上記患者側コネクタの元部と上記患者側コネクタの封止栓とを、又上記透析液側コネクタの封止栓と透析液側コネクタの元部とを夫々相対的に離間せしめ、上記第２の回転の間に上記患者側コネクタの元部を上記透析液側コネクタの元部に対向する位置に移動せしめ、上記第３の回転の間に上記患者側コネクタの元部に上記透析液側コネクタの元部を締結せしめる医療用コネクタの手動式脱着装置において、上記脱着部が上記機構部から脱着可能であり、上記脱着部がこれを上記機構部より取り外した時に、上記脱着部におけるホルダに設けられた歯車を所定の位置に戻す復帰機構を有し、かつ、上記ハンドルがその回動軸に回転停止用のストッパーピンを有し、上記機構部がハンドル回転停止位置を決めるストッパーブロックを有し、該ストッパーブロックにより前記ストッパーピンが保持されることを特徴とする。
【００２６】
本発明の医療用コネクタの手動式脱着装置は、ハンドルを介して回動される操作軸と、この操作軸の回転によって歯車を介して夫々互に反対方向に回動される夫々その一部の歯を欠いた２個の歯欠歯車と、この歯欠歯車の第１の回転によって歯車を介して夫々同一方向に回動され、上記歯欠歯車の第２の回転によっては回動されず、第３の回転によって上記と反対の方向に回動される患者側コネクタの封止栓及び透析液側コネクタの元部と、上記操作軸によってＵ字状カムの周りに移動されるピンを介して左右、前後に移動されるスライダーと、該スライダーに結合したコネクタ保持部によって保持される、患者側コネクタの元部と透析液側コネクタの封止栓と、患者側コネクタの元部と透析液用バック側コネクタの封止栓とを保持するコネクタ保持部と、患者側コネクタの封止栓と透析液側コネクタの元部とを保持し回転させるための脱着部と、上記コネクタ保持部と上記脱着部とを連動させて駆動するための機構部とより成り、上記歯欠歯車の第１の回転の間に上記患者側コネクタの元部と透析液側コネクタの元部とを、又上記患者側コネクタの封止栓と、上記透析液側コネクタの封止栓とを夫々相対的に離間せしめ、上記第２の回転の間に上記患者側コネクタの元部を患者側コネクタの封止栓と対向する位置移動せしめ、上記第３の回転の間に上記患者側コネクタの元部に上記患者側コネクタの封止栓を締結せしめる医療用コネクタの手動式脱着装置において、上記脱着部が上記機構部から脱着可能であり、上記脱着部がこれを上記機構部より取り外した時に、上記脱着部におけるホルダに設けられた歯車を所定の位置に戻す復帰機構を有し、かつ、上記ハンドルがその回動軸に回転停止用のストッパーピンを有し、上記機構部がハンドル回転停止位置を決めるストッパーブロックを有し、該ストッパーブロックにより前記ストッパーピンが保持されることを特徴とする医療用コネクタの手動式脱着装置。
【００２７】
本発明の医療用コネクタの手動式脱着装置においては、上記復帰機構が、上記脱着部におけるホルダに設けた歯車の端面に突設したピンと、このピンに係合するよう上記歯車の軸受け板に形成した上記歯車と同心の略半円弧状の溝と、上記脱着部における上記歯車を駆動するための歯車の軸とその軸受板間に巻回されたツルマキ型の戻しバネとより成ることを特徴とする。
【００２８】
【発明の実施の形態】
以下図面によって本発明の実施例を説明する。
【００２９】
本発明においては図１Ａに示すように、歯車３５の、ホルダと反対側の端面にピン５０を突設し、このピン５０に係合する上記歯車３５と同心の略半円弧状の溝５１を、歯車３６と３７及び３８の支軸を保持する軸受け板５２に設け、歯車３８と軸受け板５２との間にツルマキ型の戻しバネ５３を設け、歯車３５が図１Ａに示す状態になるよう歯車３８を介して欠歯歯車２４によって時計方向に回動されたときこの戻しバネ５３が時計方向に巻かれ、図１Ｂに示すように脱着部１６が機構部１７より取り外されたとき、戻しバネ５３の戻り作用で歯車３８が反時計方向に付勢され歯車３５と３４が歯車３６を介して反時計方向に付勢され、歯車３５に設けられたピン５０が溝５１の端部に係合して停止し、歯車３５と３４が初めの状態に自動的に戻されるようになる。なお図１Ｃは脱着部１６を機構部１７から着脱する場合のハンドル３の位置を示し、この位置では欠歯歯車２４，２５の回転位置は図１Ｂの状態にあり、脱着部１６の脱着は容易である。
【００３０】
又、脱着部１６を機構部１７を取付けられている状態では、上記ハンドル３を原点位置より９０°回動した場合にはこれによって上記戻りバネ５３が巻かれ、この戻りバネ５３の作用トルクによりハンドル３が原点位置より移動される恐れがあるが、本発明においてはこれを防止するため、図２及び図３に示すようにハンドル３の回動軸５４の片側から半径方向外方に延びる回転停止用のストッパーピン５５と、このストッパーピン５５を夫々挟持し、ハンドル３３を停止位置に保持する抑えバネより成るストッパーブロック５６を基板１−１上の略１８０度の位置に２個所設ける。
【００３１】
本発明の医療用コネクタの手動式脱着装置は上記のような構成であるから脱着部１６を機構部１７に取付ける時は、ハンドル３を上記図１Ｃの位置にし、脱着部１６を上の方から機構部本体に挿入し歯車３８を欠歯歯車２４の歯と噛合せしめ、固定用ネジ５７を締めて固定するが、脱着部１６を機構部１７から取り外した状態では歯車３４と３５の回動位置が戻しバネ５３の作用で所定の位置に規定されているので欠歯歯車２４の位置が固定され、且つ脱着部の歯車３８の位置が固定されているとの噛合関係位置は変化せず正確な再組立が容易に可能となる。
【００３２】
また、図２に示すハンドル３の始動位置ではハンドル３のストッパーピン５５がストッパーブロック５６に保持されているので、ハンドル３の位置が上記戻しバネ５３の作用でみだりに変位することがない。
【００３３】
【発明の効果】
上記のように本発明に成る医療用コネクタの手動式脱着装置によれば、患者側コネクタ、透析液側コネクタの開放端には一切手を触れることなく、ハンドル３を１８０度回転させるだけの簡単な操作で患者側コネクタと透析液側コネクタの接続と分離をすることができるのみならず、洗浄のため脱着部を機構部より取り外したとき、戻しバネの作用により各歯車間の関係位置が一定の位置に固定されるので再取り付け後も正常動作が可能になる等大きな利益がある。
【図面の簡単な説明】
【図１Ａ】本発明の医療用コネクタの手動式脱着装置の原点位置の縦断正面図である。
【図１Ｂ】本発明の医療用コネクタの手動式脱着装置の離脱分解状態説明図である。
【図１Ｃ】脱着時のハンドル位置を示す本発明の医療用コネクタの手動式脱着装置の側面図である。
【図２】原点位置のハンドル位置を示す本発明の医療用コネクタの手動式脱着装置の側面図である。
【図３】図２のストッパーブロック部の右側面図である。
【図４Ａ】従来の医療用コネクタの手動式脱着装置の正面図である。
【図４Ｂ】図４Ａに示す医療用コネクタの手動式脱着装置の側面図である。
【図５】図４Ａに示す医療用コネクタの手動式脱着装置の蓋を開いた状態の平面図である。
【図６】図４Ａに示す手動式脱着装置の縦断正面図である。
【図７】図４Ａに示す手動式脱着装置の下方部分の平面図である。
【図８】従来技術の医療用コネクタの手動式脱着装置の動作説明図である。
【図９Ａ】従来の装置の要部の動作説明図である。
【図９Ｂ】従来の装置の要部の動作説明図である。
【図９Ｃ】従来の装置の要部の動作説明図である。
【図９Ｄ】従来の装置の要部の動作説明図である。
【図１０Ａ】従来の医療用コネクタの手動式脱着装置において患者側と透析液側とを接続するときの操作状況を説明する平面図である。
【図１０Ｂ】従来の医療用コネクタの手動式脱着装置において患者側と透析液側とを接続するときの操作状況を説明する平面図である。
【図１１Ａ】従来の医療用コネクタの手動式脱着装置において患者側と透析液側とを分離するときの操作状況の説明図である。
【図１１Ｂ】従来の医療用コネクタの手動式脱着装置において患者側と透析液側とを分離するときの操作状況の説明図である。
【符号の説明】
１      筐体
１−１  基板
２      蓋
３      操作ハンドル
４      ゴム足
５      吸盤
１０      医療用コネクタの手動式脱着装置
１６      脱着部
１７      機構部
２０      コネクタ保持部
２１      操作軸
２２−１  傘歯車
２２−２  傘歯車
２３−１  傘歯車
２３−２  傘歯車
２４      欠歯歯車
２５      欠歯歯車
２６      駆動腕
２９      駆動ピン
３４      ホルダと一体の歯車
３５      ホルダと一体の歯車
３６      歯車
３７      歯車
３８      歯車
４０      支軸
４１      支軸
５０      ピン
５１      半円弧状の溝
５２      軸受け板
５３      戻しバネ
５４      回動軸
５５      ストッパーピン
５６      ストッパーブロック
５７      固定用ネジ
６１      Ｕ字型カム
１０２      患者側コネクタの元部
１０３      患者側コネクタの封止栓
１０４      患者
２００      透析液バッグ
２０２      透析液側コネクタの元部
２０３      透析液側コネクタの封止栓
【図１Ａ】
0003546020.tif 000002
【図１Ｂ】
0003546020.tif 000003
【図１Ｃ】
0003546020.tif 000004
【図２】
0003546020.tif 000005
【図３】
0003546020.tif 000006
【図４Ａ】
0003546020.tif 000007
【図４Ｂ】
0003546020.tif 000008
【図５】
0003546020.tif 000009
【図６】
0003546020.tif 000010
【図７】
0003546020.tif 000011
【図８】
0003546020.tif 000012
【図９Ａ】
0003546020.tif 000013
【図９Ｂ】
0003546020.tif 000014
【図９Ｃ】
0003546020.tif 000015
【図９Ｄ】
0003546020.tif 000016
【図１０Ａ】
0003546020.tif 000017
【図１０Ｂ】
0003546020.tif 000018
【図１１Ａ】
0003546020.tif 000019
【図１１Ｂ】
0003546020.tif 000020